(57)【要約】【課題】ガラス扉の上側の軸部を回転自在に支持する軸受部において、ガラス扉の軸を外側（左側）にずらすことが可能な構造とすることにより、開放されたガラス扉の回転自在に支持される側の端部と、遊技盤とが重なる部分を減少させる遊技機を提供する。【解決手段】上軸受部１６は、下側が開放した上下方向に沿う孔として設けれ、上回転軸が挿入されることにより、上回転軸を回転自在に支持する軸受孔３３を有する。軸受孔３３に一方の端側が連通する下側が開放した溝として設けられ、前記上回転軸１５が挿入されて上回転軸１５の軸受孔３３からの移動を案内するとともに軸受孔３３より浅い案内溝４２を備える。案内溝４２の他方の端部に案内溝４２より深く設けられ、上回転軸を仮に支持する仮軸受凹部３５を備えている。仮軸受凹部３５が軸受孔３３より左側にある。【選択図】図９
2013153818.tif 000002
【特許請求の範囲】
【請求項１】
遊技球が流下する遊技領域を有する遊技盤と、
前記遊技盤を備えている遊技機本体と、
前記遊技盤前面の少なくとも前記遊技領域を視認可能に覆う閉位置と、前記遊技盤の前面を開放する開位置との間で開閉自在に、前記遊技機本体の左右側縁部のうちの一方の側縁部に取り付けられるガラス扉と、
前記ガラス扉の前記遊技機本体に回転自在に取り付けられる一方の側縁部の上側に、出没自在に設けられる上回転軸と、
前記ガラス扉の一方の前記側縁部の下側に突出して設けられる下回転軸と、
前記上回転軸を上側に出る方向に付勢する付勢手段と、
前記上回転軸を前記付勢手段の付勢力に抗して下側に没する方向に操作可能にする出没操作手段と、
前記遊技機本体の一方の側縁部の上部に設けられ、前記上回転軸を回転自在に支持する上軸受部と、
前記遊技機本体の一方の前記側縁部の下部に設けられ、前記下回転軸を回転自在に支持する下軸受部と、
を備えている遊技機において、
前記上軸受部は、
前記下側が開放した上下方向に沿う孔として設けれ、前記上回転軸が挿入されることにより、前記上回転軸を回転自在に支持する軸受孔と、
前記軸受孔に一方の端側が連通する下側が開放した溝として設けられ、前記上回転軸が挿入されて前記上回転軸の前記軸受孔からの移動を案内するとともに前記軸受孔より浅い案内溝と、
前記案内溝の他方の端部に前記案内溝より深く設けられ、前記上回転軸を仮に支持する仮軸受凹部と、
を備え、
前記仮軸受凹部が前記軸受孔より前記遊技機本体の他方の側縁部から離れている位置に設けられていることを特徴とする遊技機。
【請求項２】
前記案内溝の前記仮軸受凹部に連続する部分の底部には、前記案内溝の深さからそれより深い前記仮軸受凹部の深さまで傾斜する傾斜面が設けられていることを特徴とする請求項１に記載の遊技機。
【請求項３】
前記案内溝は、前記一方の端部から前記他方の端部に向かう形状が、前記軸受孔から前記遊技機本体に近づく方向に向かった後に前記遊技機本体から離れる方向に向うとともに、前記軸受孔より前記遊技機本体の他方の側縁部から離れる方向に向かうように設けられていることを特徴とする請求項１または請求項２に記載の遊技機。
【請求項４】
前記上軸受部には、一方の端部が前記上軸受部の測面に開放され、他方の端部が前記軸受孔に連通し、下側が開放した溝として設けられ、前記上回転軸が挿入されて前記上回転軸を前記上軸受部の外側から前記軸受孔に案内して、前記軸受孔に挿入させる挿入案内溝が設けられ、
前記挿入案内溝には、他方の前記端部の幅より、一方の前記端部の幅が広くなるようにする拡幅部が設けられるとともに、一方の前記端部側より他方の前記端部側が浅くなるように底部に挿入用傾斜面が設けれ、
前記挿入案内溝の一方の端部は、前記軸受孔より遊技機本体側でかつ他方の側縁部側に設けられ、前記挿入案内溝が前記一方の端部から前記軸受孔まで、前記上回転軸を前記遊技機本体から離れる方向に案内するようになっていることを特徴とする請求項１から請求項３のいずれか１項に記載の遊技機。
【請求項５】
前記案内溝の一方の端部と、前記挿入案内溝の他方の端部とが前記軸受孔の部分で連通し、かつ、前記軸受孔の近傍の部分で前記軸受孔が最も前記遊技機本体から離れた頂点となるように前記案内溝と前記挿入案内溝とがＶ字状に配置され、
前記案内溝と前記挿入案内溝との連通部分の幅が、前記軸受孔の径より広くされ、前記軸受孔が前記連通部分の前記遊技機本体から離れた側に偏って配置され、
前記案内溝と前記挿入案内溝との連通部分において、前記案内溝の前記遊技機本体側の側縁と、前記挿入案内溝の前記遊技機本体側の側縁とが繋がる角が、前記軸受孔の中心より前記遊技本体の他方の側縁部に近い側に配置されていることを特徴とする請求項４に記載の遊技機。
【発明の詳細な説明】
【技術分野】
【０００１】
本発明は、発射された遊技球が流下する遊技領域の前面をガラス板で覆った状態の遊技機に関する。
【背景技術】
【０００２】
パチンコ遊技機等の遊技球を遊技領域に発射して、遊技領域内を流下する遊技球に基づいて、遊技を行う遊技機においては、遊技領域の前面側が遊技領域を視認可能に二重ガラスにより覆われている。
このような遊技機は、例えば、遊技店の島設備に固定される矩形枠状の機枠と、機枠の前面側に扉状に開閉自在に設けられるとともに、前面側に遊技領域を備える遊技盤を収容した前面枠と、前面枠の前面側に扉状に開閉自在に設けられ、上述の二重ガラスを備えた、ガラス扉とを備えている。
【０００３】
このガラス扉は、例えば、向かって左側の側縁部の上下に、互いに同軸上に配置された軸部を有し、この軸部が、機枠の左側縁部の上下から前方に突出して設けられた軸受部に回転自在に支持されて扉（ドア）状に開閉するようになっている。また、上側の軸部は、出没自在に設けられており、上側の軸部を下側に下げて没した状態とすることにより、上側の軸受部から上側の軸部を外して、ガラス扉を機枠から取り外すことが可能になっている。また、下側の軸受部に下側の軸部を支持させた後に、上側の軸部を下側に下げた状態で、上側の軸部を上側の軸受部に取り付けることで、機枠にガラス扉を開閉自在に取り付けることができる（例えば、特許文献１参照）。
【先行技術文献】
【特許文献】
【０００４】
【特許文献１】特開２０１０−１３１１８６号公報
【発明の概要】
【発明が解決しようとする課題】
【０００５】
ところで、遊技店の島設備に設置されたパチンコ遊技機において、ガラス扉の開放が行われるのは、主としてメンテナンスのためである。特に、営業中は、球詰まりした際に、球詰まりを解消するのにガラス扉の開放が行われる。
また、閉店後は、釘調整を行うために、ガラス扉が開放される。この際に、ガラス扉の開放端側となる遊技領域の右側や中央部での釘調整や球詰まりの解消は、ガラス扉が遊技盤から大きく離れているので、特にガラス扉が作業の邪魔になることがない。
【０００６】
しかし、遊技領域の左端側では、ガラス扉の開放角度にもよるが、ガラス扉が作業の邪魔になる場合がある。特に、ガラス扉を９０度程度開いた場合に、ガラス扉の左側の端部と、遊技盤の左側縁部とが、狭い間隔で重なった状態になる。このガラス扉の端部と、遊技盤の左側部とが重なった部分では、ガラス扉の左端部と遊技盤の盤面との間の距離が短く、この部分での作業性が悪いものとなっていた。また、ガラス扉の端部により、遊技盤の左端部の視界が遮られる恐れがあった。
【０００７】
近年、パチンコ遊技機においては、遊技領域内に配置され、かつ、遊技球が流下できない可変表示装置（例えば、液晶ディスプレイ）の占有面積が拡大傾向にあり、その分、遊技領域の実際に遊技球が流下可能な部分の面積が減少傾向となっている。
そこで、パチンコ遊技機においては、遊技盤前面の遊技領域の左右幅を広げて、遊技領域を従来よりも広くする傾向にある。
【０００８】
したがって、開放したガラス扉の端部と遊技盤との間の部分や、その近傍には、従来、遊技領域が配置されていない可能性が高かったが、現状では、遊技領域の左端部が配置されるパチンコ遊技機が増加傾向になっている。
この場合に遊技領域の左端でのメンテナンスが難しくなり、特に、釘調整が困難になる恐れがあった。
【０００９】
本発明は、前記事情に鑑みて為されたもので、ガラス扉の上側の軸部を回転自在に支持する軸受部において、ガラス扉の軸を外側（左側）にずらすことが可能な構造とすることにより、開放されたガラス扉の回転自在に支持される側の端部と、遊技盤とが重なる部分を減少させることができる遊技機を提供することを目的とする。
【課題を解決するための手段】
【００１０】
前記課題を解決するために、請求項１に記載の遊技機は、遊技球が流下する遊技領域を有する遊技盤と、
前記遊技盤を備えている遊技機本体と、
前記遊技盤前面の少なくとも前記遊技領域を視認可能に覆う閉位置と、前記遊技盤の前面を開放する開位置との間で開閉自在に、前記遊技機本体の左右側縁部のうちの一方の側縁部に取り付けられるガラス扉と、
前記ガラス扉の前記遊技機本体に回転自在に取り付けられる一方の側縁部の上側に、出没自在に設けられる上回転軸と、
前記ガラス扉の一方の前記側縁部の下側に突出して設けられる下回転軸と、
前記上回転軸を上側に出る方向に付勢する付勢手段と、
前記上回転軸を前記付勢手段の付勢力に抗して下側に没する方向に操作可能にする出没操作手段と、
前記遊技機本体の一方の側縁部の上部に設けられ、前記上回転軸を回転自在に支持する上軸受部と、
前記遊技機本体の一方の前記側縁部の下部に設けられ、前記下回転軸を回転自在に支持する下軸受部と、
を備えている遊技機において、
前記上軸受部は、
前記下側が開放した上下方向に沿う孔として設けれ、前記上回転軸が挿入されることにより、前記上回転軸を回転自在に支持する軸受孔と、
前記軸受孔に一方の端側が連通する下側が開放した溝として設けられ、前記上回転軸が挿入されて前記上回転軸の前記軸受孔からの移動を案内するとともに前記軸受孔より浅い案内溝と、
前記案内溝の他方の端部に前記案内溝より深く設けられ、前記上回転軸を仮に支持する仮軸受凹部と、
を備え、
前記仮軸受凹部が前記軸受孔より前記遊技機本体の他方の側縁部から離れている位置に設けられていることを特徴とする。
【００１１】
請求項１に記載の発明においては、上軸受部に通常時にガラス扉の上回転軸の軸受となる軸受孔とは、別に、軸受孔より遊技機本体の他方の側縁部から遠い位置、すなわち、一方の側縁部において、より端側もしくは端よりも外側に、仮軸受凹部が設けられている。また、軸受孔と仮軸受凹部との間に軸受孔より浅い案内溝が設けられているので、例えば、上回転軸を出没操作手段により、少し下げて、案内溝側に移動させる。この状態で出没操作手段による操作を止めると、上回転軸が付勢手段に付勢されて、溝の底部（上側）に突き当てられた状態となり、案内溝から上回転軸が外れない状態になる。
【００１２】
上回転軸を案内溝に沿わせて、仮軸受凹部まで移動する。仮軸受凹部は、必ずしも上回転軸に対応する軸受孔のような形状でなくてもよく、案内溝より深くなっていることにより、仮軸受凹部内に入った上回転軸が安定していればよい。すなわち、軸受孔から上回転軸を案内溝側に移動する際に、軸受孔に挿入された上回転軸と、下軸受部に支持された下回転軸とにより、ガラス扉を回転しておけば、必ずしも仮軸受凹部に上回転軸が支持された状態でガラス扉を回転させる必要がない。なお、仮軸受凹部内に挿入された状態の上回転軸が安定して保持された構造となっていることが好ましい。
【００１３】
このような遊技機において、ガラス扉を開放した際に、ガラス扉の上回転軸を仮軸受孔側に移動することで、ガラス扉の回転自在に支持される側の端部と、遊技盤の遊技領域の同じ側の端部とを、上回転軸が上軸受孔に支持されている場合より離すことができる。これにより、遊技盤のガラス扉の端部が近接部分での作業性を向上することができる。なお、例えば、ガラス扉の左側の端部側が回転自在に支持されている状態では、上軸受孔に対して仮軸受凹部を左側に設けることになるが、仮軸受凹部は、上軸受孔より前側となって、遊技盤から離れるようになっていてもよい。
【００１４】
請求項２に記載の遊技機は、請求項１に記載の発明において、前記案内溝の前記仮軸受凹部に連続する部分の底部には、前記案内溝の深さからそれより深い前記仮軸受凹部の深さまで傾斜する傾斜面が設けられていることを特徴とする。
【００１５】
請求項２に記載の発明においては、案内溝の仮軸受凹部に連続する部分の底部には、案内溝の深さからそれより深い前記仮軸受凹部の深さまで傾斜する傾斜面が設けられているので、案内溝と仮軸受凹部との間での上回転軸の移動に際して、出没操作手段により上回転軸の出没を操作しなくても、案内溝に沿って上回転軸を移動することで、上回転軸の出没量が案内溝から仮軸受凹部に至る傾斜面までの深さで決定される。
【００１６】
すなわち、案内溝からそれより深い仮軸受凹部に至る経路では、傾斜面に沿って上回転軸の上への突出量が増加し、案内溝より深い仮軸受凹部で、上回転軸が仮に支持された状態となる。また、仮軸受凹部からそれより浅い案内溝に移動する際には、出没操作手段を操作しなくても傾斜面に沿って上回転軸が徐々に没していき、上回転軸の突出量が少なくなっていくことによって、仮軸受凹部から案内溝に移動することができる。
【００１７】
以上のことから、最初に軸受孔から上回転軸を出す際に、出没操作手段の操作が必要となっても、それ以降は、基本的に出没操作手段による操作が必要なくなり、案内溝および仮軸受凹部の深さの変化に基づいて、上回転軸が上下する状態となる。
また、案内溝から上軸受部の軸受孔に移動する際にも、上軸受孔が付勢手段により軸受孔内で上に伸びることで、出没操作手段を操作せずに、上軸受孔を軸受孔に挿入させて回転自在に嵌合させることができる。
【００１８】
請求項３に記載の遊技機は、請求項１または請求項２に記載の遊技機において、前記案内溝は、前記一方の端部から前記他方の端部に向かう形状が、前記軸受孔から前記遊技機本体に近づく方向に向かった後に前記遊技機本体から離れる方向に向うとともに、前記軸受孔より前記遊技機本体の他方の側縁部から離れる方向に向かうように設けられていることを特徴とする。
【００１９】
請求項３に記載の発明においては、ガラス扉を開放状態とし、上述のように、出没操作手段により上回転軸を少し下げて案内溝側に上回転軸を移動した後に、ガラス扉の上端側を遊技機側に押し込むようにしてから引くようにした際に、案内溝に案内されて軸受孔より遊技機本体の他方の側縁部から離れた仮軸受凹部に至るようになっている。
したがって、上回転軸は軸受孔から仮軸受凹部に直線状ではなく例えばＶ字状に移動することになり、例えば、ガラス扉を取り外すような場合に、誤操作により、上回転軸を仮軸受凹部に挿入させてしまうのを防止できる。
【００２０】
また、逆に、仮軸受凹部と、軸受孔とが直線状の案内溝でつながれている場合に、上回転軸が仮軸受凹部から軸受孔に勝手に戻ってしまうのを防止できる。例えば、上回転軸を仮軸受凹部に挿入させた状態で、第３者がガラス扉にぶつかるなどして、ガラス扉に力が作用した場合に、上回転軸が仮軸受凹部に戻ってしまうのを防止できる。
【００２１】
特に、請求項２に記載のように案内溝より深い仮軸受凹部と、案内溝との接続部分の底部が斜面となっており、仮軸受凹部から案内溝への移動に出没操作手段による操作の必要がない場合に、予期せずに仮軸受凹部から軸受孔に上回転軸が移動してしまうのを防止できる。
【００２２】
また、仮軸受凹部と案内溝とは、斜めとなる場合も含まれるが、基本的に前後方向にならび、仮軸受凹部の方が案内溝の仮軸受凹部に接合する部分より前側となる。ここで、開放した状態のガラス扉、特に９０度程度開放した状態のガラス扉には、回転自在に支持された端部に対して、開放端側に加重が作用し、上回転軸には、後から前に向かうように力が作用した状態となっている。したがって、上回転軸には、案内溝の仮軸受凹部に接続する部分から仮軸受凹部側に向かって力が作用し、仮軸受凹部に挿入された上回転軸が案内溝側に移動するのを抑制している。これにより、上回転軸が仮軸受凹部から案内溝側に移動するのが防止される。
【００２３】
請求項４に記載の遊技機は、請求項１から請求項３のいずれか１項に記載の発明において、前記上軸受部には、一方の端部が前記上軸受部の測面に開放され、他方の端部が前記軸受孔に連通し、下側が開放した溝として設けられ、前記上回転軸が挿入されて前記上回転軸を前記上軸受部の外側から前記軸受孔に案内して、前記軸受孔に挿入させる挿入案内溝が設けられ、
前記挿入案内溝には、他方の前記端部の幅より、一方の前記端部の幅が広くなるようにする拡幅部が設けられるとともに、一方の前記端部側より他方の前記端部側が浅くなるように底部に挿入用傾斜面が設けれ、
前記挿入案内溝の一方の端部は、前記軸受孔より遊技機本体側でかつ他方の側縁部側に設けられ、前記挿入案内溝が前記一方の端部から前記軸受孔まで、前記上回転軸を前記遊技機本体から離れる方向に案内するようになっていることを特徴とする。
【００２４】
請求項４に記載の発明においては、挿入案内溝の上軸受部の他方の側縁部側の側面で開放された状態の端部から上回転軸を挿入案内溝に挿入する。この際には、上回転軸を出没操作手段により没する側に移動しなくてもよいように、挿入案内溝の一方の端部の深さが、ガラス扉の下回転軸を下軸受部に支持させた状態で、上回転軸を挿入案内溝に挿入できる深さとなっていることが好ましい。
【００２５】
また、挿入案内溝の一方の端部が広くなっているので、上回転軸の挿入が容易である。また、軸受孔は、挿入案内溝との接続部で、挿入案内溝が挿入用傾斜面により浅くなることにより、挿入案内溝より深くなっている。この際に、上回転軸は、挿入案内溝に沿って軸受孔に移動する際に、付勢手段の付勢力に抗して、上回転軸が徐々に下に移動し、軸受孔に至った際に、軸受孔の深さまで、上回転軸が上に移動することにより、軸受孔に上回転軸が回転自在に嵌合した状態になる。したがって、基本的に出没操作手段を操作することなく、上回転軸を軸受孔に嵌合させることが可能である。
【００２６】
請求項５に記載の遊技機は、請求項４に記載の発明において、前記案内溝の一方の端部と、前記挿入案内溝の他方の端部とが前記軸受孔の部分で連通し、かつ、前記軸受孔の近傍の部分で前記軸受孔が最も前記遊技機本体から離れた頂点となるように前記案内溝と前記挿入案内溝とがＶ字状に配置され、
前記案内溝と前記挿入案内溝との連通部分の幅が、前記軸受孔の径より広くされ、前記軸受孔が前記連通部分の前記遊技機本体から離れた側に偏って配置され、
前記案内溝と前記挿入案内溝との連通部分において、前記案内溝の前記遊技機本体側の側縁と、前記挿入案内溝の前記遊技機本体側の側縁とが繋がる角が、前記軸受孔の中心より前記遊技本体の他方の側縁部に近い側に配置されていることを特徴とする。
【００２７】
請求項５に記載の遊技機においては、出没操作手段により、上回転軸を下げるように操作して、上回転軸を軸受孔から出して、上回転軸を案内溝と、挿入案内溝との接合部で、後ろ側に移動すると、上述の角の部分に至るが、上述の角が軸受孔の中心より遊技機本体の他方の側縁部に近い側、すなわち、挿入案内溝側に配置されているので、上回転軸は、角の頂点より遊技機本体の一方の側縁部側に至る。これにより、上回転軸は、角に案内されて、挿入案内溝ではなく、案内溝側に至り、仮軸受凹部側に上回転軸を移動させ易くなる。
【００２８】
本発明の遊技機においては、遊技盤の一方の側縁部側のメンテナンス時に、上回転軸を軸受孔から仮軸受凹部に移動して、一方の側縁部側のメンテナンスを容易とするようになっており、基本的に遊技領域のメンテナンス時にガラス扉を外すことがない。
したがって、ガラス扉を取り外すために、上回転軸を挿入案内溝側に移動させることはあまりなく、軸受孔から上回転軸を出した際の移動先が、案内溝となる可能性が高いので、上述のように上回転軸を案内溝側に誘導する構造があることで、作業性を向上できる。
【発明の効果】
【００２９】
本発明によれば、ガラス扉の上回転軸を上軸受部から完全に取り外すことなく、開放されたガラス扉の上回転軸を外側に移動して、遊技盤のメンテナンス作業の作業性を向上することができる。
【図面の簡単な説明】
【００３０】
【図１】本発明の実施の形態に係る遊技機を示す斜視図である。
【図２】ガラス扉を開放し、前面枠を少し開放した前記遊技機を示す斜視図である。
【図３】前記ガラス扉を開放した前記遊技機を示す平面図である。
【図４】図３のＡ−Ａ矢視断面図である。
【図５】図３の左側上部の拡大図である。
【図６】ガラス扉を取り外した遊技機の機枠の左側縁部の上部に設けられた上軸受部を示す要部斜視図である。
【図７】遊技機の機枠の左側縁部の上部に設けられた上軸受部を示す要部分解斜視図である。
【図８】前記上側軸受部の案内部材の上面側を示す斜視図である。
【図９】前記上側軸受部を示す底面図である。
【図１０】前記上側軸受部の案内部材の底面側を示す斜視図である。
【図１１】前記上側軸受部の案内部材の底面側を示す斜視図である。
【図１２】前記上側軸受部を示す断面図である。
【図１３】前記上側軸受部の案内部材を示す断面図である。
【発明を実施するための形態】
【００３１】
本発明の実施の形態について図面を参照して説明する。
図１〜図４に示すように、パチンコ遊技機は、遊技店の島設備に設置される縦長の矩形状の機枠１と、機枠１に扉状に開閉自在に取り付けられた前面枠２と、前面枠２に収納された遊技盤３（図２に図示）と、前面枠２の前面に扉状に開閉自在に取り付けられ、中央に大きく開口部４ａが形成されたガラス扉４とを備える。
【００３２】
機枠１は、パチンコ遊技機のベースとなる部分であり、島設備のパチンコ遊技機設置位置に、固定される。
前面枠２は、機枠１に対して、左側側縁部が回動自在に取り付けられており、機枠１を島設備に設置した状態で、裏面側のメンテナンス等が可能になっている。前面枠２内部には、遊技盤３が収納されて固定されているとともに、遊技盤３の前面に設けられる遊技領域３ａに遊技球を発射する発射装置や、賞球としての遊技球の払出装置等が設けられている。なお、図４においては、前面枠２から遊技盤３等の部材を取り外した状態で前面枠２が図示されているとともに、ガラス扉４も部材の一部を取り外したベースになる部分が主に図示されている。
【００３３】
遊技盤３は、その前面側に遊技球が流下するとともに、遊技球が入賞可能な入賞口や、入賞しなかった遊技球を排出する排出口等が設けられた遊技領域３ａを備える。また、裏面側には、入賞口や排出口に流入した遊技球を島設備側に排出する排出球経路や、上述の賞球の払出装置に島設備側から遊技球を供給する経路や、各種制御装置が設けられている。
【００３４】
ガラス扉４は、上述の遊技盤３の遊技領域３ａに対応する大きさの開口部４ａが設けられ、当該開口部４ａにガラスユニット５が嵌め込まれて着脱自在に取り付けられている。ガラスユニット５は、間に間隔をあけて二重に配置されたガラス板（２枚の透明板）を備える。
【００３５】
ガラス扉４の開口部４ａより下側には、遊技球を収容するとともに、払い出された賞球が流入する上皿６および上皿６から溢れる遊技球を収容する下皿７と、前記ガラス扉４の上皿６および下皿７の図１中、向かって右側に設けられる発射操作ハンドル８とを備える。ガラス扉４の上皿６の向かって右側には、遊技者が貸球の払出操作等を行うための操作部９が設けられている。また、上皿６の略中央には、遊技者の操作に基づく遊技の演出を可能にする演出用ボタン１０が設けられている。また、ガラス扉４には、スピーカ１１や、演出用のランプ（ＬＥＤ）等が備えられている。なお、上述のスピーカ１１に加えて機枠１に設けられた幕板にもスピーカ１２が備えられている。
【００３６】
なお、図２は、ガラス扉４を開放するとともに、前面枠２を少し開放した状態を示しているが、ガラス扉４および前面枠２を閉塞状態に施錠するロック装置１４は、キーを挿入して一方側に回転するとガラス扉４のロックが解錠され、他方側に回転すると前面枠２のロックが解錠される。
【００３７】
ガラス扉４は、機枠１に対して、一方の側縁部としての左側の側縁部（端部）が略鉛直方向に沿った軸回りに回転自在に支持されている。ガラス扉４の他方の側縁部は開放端となる。例えば、ガラス扉４の左側縁部においては、その上部から上回転軸１５が上側に向かって突出し、図1に示す機枠１の左側縁部の上部から前側に突出する上軸受部１６に回転自在に支持されている。
【００３８】
また、ガラス扉４の左側側縁部においては、その下部から下回転軸が下側に向かって突出し、機枠１の左側側縁部の下部から前側に突出する下軸受部に回転自在に支持されている。
また、機枠１の左側縁部の下部には、上述のスピーカ１２がガラス扉４から露出するように設けられており、前面枠２およびガラス扉４の左側縁部下部は、スピーカ１２の外形に対応する切欠部が設けられている。したがって、ガラス扉４の下回転軸は、切欠部の部分に設けられ、機枠１の下軸受部は、スピーカ１２の上側に設けられている。
【００３９】
なお、下軸受部には、円筒状の軸受孔が設けられ、円柱状の下回転軸が上側から挿入された状態となっている。また、上回転軸１５を上軸受部１６から取り外した状態で、ガラス扉４の左側縁部側を持ち上げることで、下回転軸を下側の軸受孔から抜くことにより、機枠１からガラス扉４を取り外せるようになっている。また、ガラス扉の取り付けの際には、下軸受部の軸受孔にガラス扉４の下回転軸を少しだけ斜めに挿入した状態で上軸受部１６に上回転軸１５を取り付けるようになっている。
【００４０】
また、ガラス扉４を除く遊技機本体（機枠１、前面枠２等）の左側縁部を一方の側縁部とし、遊技機本体の右側縁部を他方の側縁部とし、一方の側縁部にガラス扉４の一方の側縁部である左側縁部が回転自在に支持されている。また、遊技機本体から離れる方向は、前方向で、近づく方向が後方向である。
【００４１】
図４の左上部を拡大した図５に示すように、上回転軸１５は、上下に長尺な円柱状の軸部１７と、軸部１７の下端部に設けられた軸部１７より径の大きな大径部１８と、軸部１７の中央より上側に設けられ、後述の付勢手段としての圧縮コイルばね１９の上端に下面が当接する鍔部２０とを備える。鍔部２０は、軸部１７の外周面より外側にほぼ水平な板状に広がった状態に設けられている。
【００４２】
ガラス扉４の左側縁部の上部には、上回転軸１５を出没自在（上下動自在）に支持する支持部材２１が設けられている。支持部材２１は、ほぼ水平な上板部２２と下板部２３とを備えるとともに、上板部２２と下板部２３との一方の右側の側縁部間をつなぐほぼ垂直な接続板部２４とを備え、これら上板部２２と下板部２３と接続板部２４から断面チャネル状に形成されている。
【００４３】
上板部２２と下板部２３とには、それぞれ上回転軸１５の軸部１７が挿入される貫通孔が形成されている。この上下の貫通孔に軸部１７が挿入された状態で、上回転軸１５の鍔部２０と下板部２３との間に、軸部１７が挿入された状態の圧縮コイルばね１９が配置され、この圧縮コイルばね１９が鍔部２０を上側に付勢することで、上回転軸１５が支持部材２１に対して上側に付勢されている。
【００４４】
上回転軸１５の大径部１８の径は、上板部２２、下板部２３の貫通孔の径より大きく、
上に向けて付勢されても上回転軸１５が支持部材２１から上に抜けることがない。また、鍔部２０および圧縮コイルばね１９により、上回転軸１５が支持部材２１から下に抜けることがない。
【００４５】
また、支持部材２１と、上回転軸１５の下端部の大径部１８との間には、出没操作手段としての操作レバー２５が設けられている。操作レバー２５の先端部には、上回転軸１５の軸部が挿入される貫通孔が形成されている。この貫通孔の内径は大径部１８の外径より小さくなっている。また、操作レバー２５は、ガイド部材（図示略）により、上下動自在に支持されている。操作レバー２５の後端部は、ガラス扉４の背面側に突出しており、操作レバー２５の後端側を作業者の指で押し下げられるようになっている。
【００４６】
この操作レバー２５により、上回転軸１５の大径部１８を押し下げることで、上回転軸１５を、圧縮コイルばね１９の付勢力に抗して下側に下げること、すなわち、没する方向に移動させられるようになっている。
なお、図３、図４、図５においては、図３に示すようにガラス扉４を機枠１に対して９０度程度開いた状態で、ガラス扉４の上部を右に傾くようにしているので、ガラス扉４の上回転軸１５が上軸受部１６から外れた状態になっている。
【００４７】
図３から図７に示すように、機枠１の左側縁部の上部からは、前面枠２およびガラス扉４の左側縁部の上部を回転自在に支持する軸受部材３０が設けられている。軸受部材３０は、その上下の中央部に、機枠１の左側縁部上部から前方に突出する支持片３１を備えている。支持片３１の上側には、前面枠２の上側用の軸受手段が設けられ、支持片３１の下側には、ガラス扉４用の上軸受部１６が設けられている。
また、軸受部材３０の上面側では、機枠１の左上角部を補強する補強板３２が機枠１の前側に突出して軸受部材３０の上面を覆うように設けられている
【００４８】
図３から図１２に示すように、上軸受部１６は、上述の上回転軸１５を回転自在に支持する軸受孔３３を備えるものであり、軸受孔３３を備える軸受本体３４と、上回転軸１５を軸受孔３３および仮軸受凹部３５に案内する案内部材３７とを備える。
軸受本体３４は、水平片３９と水平片３９の後端部から下方に延出する垂直片４０とからなるアングル状の金具である。
【００４９】
垂直片４０には、機枠側に設けられた図示しない取り付け部に垂直片４０を取り付けるための複数の取付孔が設けられている。水平片３９は、その先端部に、上回転軸１５の上端部が挿入されて、上回転軸１５を回転自在に支持する軸受になる軸受孔３３が設けられている。
【００５０】
案内部材３７は、例えば硬質な合成樹脂からなり、前後に長尺で上下に扁平な概略箱状の部材であり、その後端面から軸受本体３４の水平片３９が左右の略中央部に挿入されて嵌合するようになっている。案内部材３７と軸受本体３４とから上回転軸１５の外部から軸受孔３３への移動と、軸受孔３３から仮軸受凹部３５への移動を案内する構造が設けられている。
【００５１】
案内部材３７の後端部（基端部）は、その前の部分より上下幅が広くされて上に突出した状態となっており、この部分が機枠１側の図示しない取付部材に嵌合するようになっている。また、案内部材３７の先端部の左右角部は、それぞれ広い幅に渡って面取りされ、断面円弧状の曲面とされている。すなわち、案内部材３７の先端部の左右の角部には、図8および図9に示すように広い範囲でＲが付けられている。
【００５２】
また、案内部材３７の上面の左右には、後述する挿入案内溝４１の挿入用傾斜面５１および案内溝４２の傾斜面５２の部分に、これら傾斜面５１，５２を形成するための凹部５３，５４が設けられている。
案内部材３７（上軸受部１６）の底面には、下面側に開放された溝である挿入案内溝４１と、案内溝４２とが設けられている。
【００５３】
挿入案内溝４１は、ガラス扉４の取り付け時に、上回転軸１５を上軸受部１６の外部から内部の軸受孔３３に案内するとともに、その逆にガラス扉４の取り外し時に、上回転軸１５を上軸受部１６の内部の軸受孔３３から外部に案内するものである。
挿入案内溝４１は、その一方の端部が案内部材３７の右側の側面に開口している。この挿入案内溝４１の開口部５５の位置は、軸受孔３３より右側で、かつ、後ろ側となっている。
【００５４】
また、挿入案内溝４１は、開口部５５側を一方の端部とし、軸受孔３３を他方の端部として、一方の端部から他方の端部まで設けられている。この際に挿入案内溝４１は、一方の端部から他方の端部まで、左から右に向かうとともに、後から前に向かうように斜めに設けられている。
【００５５】
また、挿入案内溝４１の底面（天井面）は、開口部５５側の一方の端部から挿入案内溝４１の経路の中央部分まで、挿入用傾斜面５１として傾斜しており、一方の端部から他方の端部側に向かうにつれて、浅く（低く）なるようになっている。
また、開口部５５における挿入用傾斜面５１の深さ（高さ）は、ガラス扉４の下回転軸を下軸受部に挿入した状態で、上回転軸１５を開口部５５に配置した際に、上回転軸１５の上端が開口部５５の底面に接触しない高さになっている。
【００５６】
したがって、挿入案内溝４１に開口部５５から上回転軸１５を挿入した場合に、操作レバー２５を操作して上回転軸１５を押し下げなくても、上回転軸１５を挿入案内溝４１に挿入可能になる。この際には、図３に示すように、例えば、ガラス扉４は、機枠１に対して略９０度開放した状態となっており、図４および図５に示すように右に少し傾いた状態で、開口部５５に上回転軸１５を合わせ、ガラス扉４を右に少し傾いた状態から左に傾けるように移動することにより、上回転軸１５を挿入案内溝４１に挿入できるようになっている。
【００５７】
また、この状態では、作業者が持っているガラス扉４の開放端側に荷重が作用し、この荷重により上回転軸１５に対して後から前に移動するように力が作用している。したがって、作業者がガラス扉を支える力を減らすようにすると、上回転軸１５は、挿入案内溝４１に沿って、斜め前側に移動する。この際に、挿入案内溝４１の一方の端部から他方の端部に向かうにつれて、浅くなる挿入用傾斜面５１に上回転軸１５の上端が接触し、他方の端部に向かうにつれて、上回転軸１５が圧縮コイルばね１９の付勢力に抗して下側に移動していくようになっている。
【００５８】
また、挿入案内溝４１の開口部５５側の半分の挿入用傾斜面５１に対して、挿入案内溝４１の軸受孔３３側の半分の底面は、ほぼ水平となっている。また、挿入案内溝４１の半分の底面である挿入用傾斜面５１は、案内部材３７の凹部５３の底板部により構成されている。
それに対して、挿入案内溝４１の軸受孔３３側の半分の水平な底面は、軸受本体３４の水平片３９の下面により構成されている。水平片３９には、軸受孔３３が設けられており、水平片３９の下面に当接した状態の上回転軸１５の上端が水平片３９の下面に沿った状態から軸受孔３３に挿入される。この場合に、挿入案内溝４１の少なくとも他方の端部側の半分においては、その深さが軸受孔３３より浅くなっている。
【００５９】
なお、挿入案内溝４１の下側に開放する部分は、案内部材３７の底部にスリット状に設けられており、上回転軸１５の上端が水平片３９に当接している状態でも、上回転軸１５の水平方向の移動は、案内部材３７により案内される。また、挿入案内溝４１は、他方の端部から一方の端部に向かうにつれて、幅が広くなるように形成されており、上回転軸１５を挿入し易いように、開口部５５の部分で最も幅が広く、軸受孔３３の部分で最も幅が狭くなっている。なお、この例では、挿入案内溝４１の略全体において、他方の端部から一方の端部に向かうにつれて幅が広くなっており、挿入案内溝４１の略全体について幅が拡がっていく拡幅部とされている。
【００６０】
また、挿入案内溝４１の他方の端部の幅は、軸受孔３３の径よりも大きくされており、軸受孔３３は、挿入案内溝４１の他方の端部において、挿入案内溝４１の幅の中央に対して前側に配置されている。これにより、挿入案内溝４１の他方の端部においては、軸受孔３３の後ろ側に上回転軸１５の上端を当接可能な底面が形成されている。
【００６１】
図９〜図１１に示すように、上軸受部１６には、軸受孔３３から仮軸受凹部３５に至る案内溝４２が形成されており、案内溝４２と挿入案内溝４１とは、軸受孔３３の部分で連通している。また、図９に示すように、案内溝４２は、その経路の略中央部で屈曲した略Ｖ字状に形成されている。また、案内溝４２は、軸受孔３３から当該案内溝４２の経路の略中央部まで、右側から左側に向かうにつれて、前側から後ろ側に向かうように形成されている。それに対して、挿入案内溝４１では、開口部５５から軸受孔３３まで、右側から左側に向かうにつれて、後ろ側から前側に向かうように形成されている。なお、前後方向は、例えば、遊技盤３の前面に直交する方向で、遊技機に遊技者が遊技している状態で遊技者側に向かう方向（挿入案内溝４１、案内溝４２において遊技本体から離れ方向）が前とされ、遊技機の背面側に向かう方向（（挿入案内溝４１、案内溝４２において遊技本体に近づく方向））が後ろとされている。また、左右方向は、遊技機に向かう遊技者から見た場合の左右方向である。
【００６２】
図９に示すように、上述の挿入案内溝４１および案内溝４２の構成から挿入案内溝４１と案内溝４２との接合部は、屈曲した状態になっており、前側が頂点になる山状（Ｖ字状）に形成されている。挿入案内溝４１は、上軸受部１６右側面の開口部５５から軸受孔３３までとされ、案内溝４２は軸受孔３３から屈曲部を介して仮軸受凹部３５までとなっている。したがって、挿入案内溝４１と案内溝４２との接合部は、軸受孔３３の部分になる。
上述のように、挿入案内溝４１と案内溝４２との接合部に軸受孔３３が形成されるが、接合部の前側の側縁側に偏って軸受孔３３が設けられている。
【００６３】
また、図９に示すように、挿入案内溝４１と案内溝４２との接合部の後ろ側（遊技機本体側）の側縁部は、軸受孔３３に向かって凸になる角部（出隅）になる。この出隅の角部の頂点５７ａは、軸受孔３３の中心に対して遊技機本体の右側に偏心（オフセット）して配置されている。すなわち、軸受孔３３の中心より上述の角部の頂点５７ａが遊技機本体の向かって右側に配置されている。この場合に、ガラス扉４を略９０度開放した状態で、ガラス扉４を後ろ側に押した際に、上回転軸１５が前記角部の頂点５７ａより左側に至り、挿入案内溝４１の左側に設けられた案内溝４２側に誘導されるようになっている。
【００６４】
また、挿入案内溝４１と案内溝４２との接合部の後ろ側（遊技機本体側）の側縁部の出隅の角部の頂点５７ａを上述のように右側にずらした構造とした場合に、挿入案内溝４１と案内溝４２との接合部の前側の凹となる角部（入隅）の頂点５７ｂに対しても、頂点５７ａが右側にずれた状態になる。ここでは、遊技盤３の前面に対して直交する方向を前後方向とした場合に、入隅の角部の頂点５７ｂと軸受孔３３の中心とが前後方向に沿う同じ線上に配置されるのに対して、前記出隅の角部の頂点５７ａが、入隅の角部の頂点５７ｂと軸受孔３３との両方を通る線に対して右側に配置される。
【００６５】
挿入案内溝４１の軸受孔３３側の略半分と、案内溝４２の軸受孔３３側の略半分は、その底面部分が軸受本体３４の水平片３９の下面により構成されている。これにより、挿入案内溝４１と案内溝４２の接合部分は、軸受孔３３より浅くなっている。なお、軸受孔３３は、水平片３９に貫通した状態に設けられているが、その上側に案内部材３７の上面部分（天板部分）が配置されており、天板部分の下面が軸受孔３３の底面となり、軸受孔３３の開口から上述の底面までが、軸受孔３３の深さになる。
【００６６】
また、案内溝４２は、上述のように、一方の端部になる軸受孔３３の位置から経路の中央部までが、前から後に向かうにつれて右から左に向かうように斜めに形成され、それより他方の端部側が後から前に向かうように形成されている。すなわち、案内溝４２は略Ｖ字状に略中央で屈曲するように形成されている。
【００６７】
案内溝４２の仮軸受凹部３５側の半分においては、屈曲部分がそれより軸受孔３３側の部分と底面高さがほぼ同じとされ、それより前側の仮軸受凹部３５に至る部分が傾斜面５２となっており、この傾斜面は、仮軸受凹部３５側が深くなるように形成されている。案内溝４２おいて、その他方の端部になる仮軸受凹部３５の部分が最も深い位置となっている。なお、仮軸受凹部３５は、軸受孔３３よりは浅くなっている。
【００６８】
このような遊技機において、ガラス扉４の下回転軸を機枠１の下軸受部に支持させた状態で、上回転軸１５を上軸受部１６の外部と軸受孔３３との間を移動する方法と、同様に、下回転軸を支持させた状態で、上回転軸１５を軸受孔３３と仮軸受凹部３５との間で移動する方法とを説明する。
【００６９】
上述のように下回転軸を下軸受部に支持させた状態で、上回転軸１５を上軸受部１６の挿入案内溝４１の開口部５５に近接させ、そのまま開口部５５内に入れる。この際に、上回転軸１５の上端より、挿入案内溝４１の開口部５５における底面の方が高く、上回転軸１５を下げることなく、挿入案内溝４１に挿入することができる。また、挿入案内溝４１は、開口部５５が最も幅が広くなっており、上回転軸１５を挿入させ易くなっている。
【００７０】
挿入案内溝４１に沿って上回転軸１５を移動していくと挿入用傾斜面５１により上回転軸１５が押し下げられることになる。また、挿入案内溝４１の幅が軸受孔３３に向かって狭まることで、軸受孔３３に案内される。また、上回転軸１５には、ガラス扉４の荷重により前側に移動するように力が作用しており、上回転軸１５は、斜めに形成されている挿入案内溝４１の前側の側縁に主に案内された状態となって移動する。
【００７１】
軸受孔３３まで移動した上回転軸１５は、軸受孔３３の部分で圧縮コイルばね１９の付勢力で上側に移動し、軸受孔３３に挿入され、上回転軸１５が回転自在に上軸受部１６に支持された状態になる。これにより、ガラス扉４が開閉自在に機枠１に支持された状態になる。
【００７２】
この遊技機においては、遊技盤等のメンテナンス、特に釘調整の際に、９０度程度開いたガラス扉４の軸支されている左端部と、遊技盤とが前後に重なった部分およびその近傍での作業性を向上するために、上回転軸１５を軸受孔３３より左側の仮軸受凹部３５に案内溝４２に沿って移動させることで、ガラス扉４をさらに左側（外側）に移動させるようになっている。
【００７３】
この場合には、まず、ガラス扉４を９０度程度開いた状態で、操作レバー２５を使って、上回転軸１５を圧縮コイルばね１９の付勢力に抗して押し下げて、軸受孔３３から外すとともに、ガラス扉４を後ろ側に押して上回転軸１５を後ろ側に移動する。この際には、図９に示すように、軸受孔３３の中心より、挿入案内溝４１と案内溝４２との接合部の後ろ側の側縁の角部の頂点５７ａが挿入案内溝４１側（右側）にあるので、上回転軸１５は、頂点５７ａの案内溝４２側に至り、円滑に上回転軸１５を案内溝４２に至らせることができる。
なお、例えば、所定期間中に釘調整等のメンテナンスを行う回数に対して、ガラス扉４を取り外す回数はかなり少ないので、上述のように、軸受孔３３から上回転軸１５を取り外した際に、円滑に上回転軸１５を仮軸受凹部３５に移動できるようになっていることが好ましい。
【００７４】
ガラス扉４を後ろ側に押して、上回転軸１５を案内溝に沿って後ろ側に移動すると、案内溝４２の屈曲部に至り、上回転軸１５が屈曲部の後ろ側の側縁に突き当たる。この状態で上回転軸１５を左側に移動させながらガラス扉４をその荷重を利用しながら前側に引っ張り、上回転軸１５を屈曲部から仮軸受凹部３５に向かって前側に移動させる。
この際に、傾斜面５２を通過することで、上回転軸１５が圧縮コイルばね１９の付勢力により上側に突出し、仮軸受凹部３５に至る。
【００７５】
この際に、ガラス扉４が左側に傾いた状態となり、遊技盤３とガラス扉４の左端部とが重なる部分が減って、遊技盤３（遊技領域３ａ）の露出部分が多くなり、釘調整等のメンテナンスの作業性が向上する。この際に、上回転軸１５が後ろ側に移動して傾斜面５２に乗り上げるような状態となると、ガラス扉４が不安定になって必ずしも作業性の向上を望めない可能性があるが、基本的に上回転軸１５には、ガラス扉４の荷重により上述のように前側に移動する力がかかっており、ガラス扉４への多少の外力の作用により、上回転軸１５が圧縮コイルばね１９の付勢力に抗して押し下げられながら、傾斜面５２を超えることがない。
【００７６】
メンテナンス終了後は、ガラス扉４を後方に押すことにより、上回転軸１５を後ろに移動させる。この際には傾斜面５２で上回転軸１５が押し下げられることで、操作レバー２５を操作しなくても、上回転軸１５を仮軸受凹部３５から外すことができる。次に、上回転軸１５が案内溝４２の屈曲部に突き当たった後に、ガラス扉４を右に傾けながら手前側に移動することで、上回転軸１５を案内溝４２と挿入案内溝４１との接合部となる屈曲部の前側の溝の側縁に突き当てることで、軸受孔３３に上回転軸１５を挿入して、元の状態に戻すことができ、開放しているガラス扉４を閉めることができる。
【００７７】
この遊技機にあっては、上軸受部１６内における上回転軸１５の移動により、上述のように遊技盤３の左側縁部側のメンテナンスの作業性を向上することができるので、上軸受部１６から取り外した上回転軸１５を上軸受部１６以外の治具等を用いて支持するような必要がない。したがって、遊技盤３のメンテナンスにおいて、開放した状態のガラス扉４を遊技盤３の左側縁部から離すように移動する作業の作業性も向上することになる。これにより、遊技盤３のメンテナンス全体の作業性を向上できる。
【００７８】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【００７９】
１      機枠（遊技機本体）
２      前面枠（遊技機本体）
３      遊技盤（遊技機本体）
３ａ    遊技領域（遊技機本体）
４      ガラス扉
１５    上回転軸
１６    上軸受部
１９    圧縮コイルばね（付勢手段）
２５    操作レバー（出没操作手段）
３３    軸受孔
３５    仮軸受凹部
４１    挿入案内溝
４２    案内溝
５１    挿入用傾斜面
５２    傾斜面
５７ａ  頂点（角）
【図１】
2013153818.tif 000003
【図２】
2013153818.tif 000004
【図３】
2013153818.tif 000005
【図４】
2013153818.tif 000006
【図５】
2013153818.tif 000007
【図６】
2013153818.tif 000008
【図７】
2013153818.tif 000009
【図８】
2013153818.tif 000010
【図９】
2013153818.tif 000011
【図１０】
2013153818.tif 000012
【図１１】
2013153818.tif 000013
【図１２】
2013153818.tif 000014
【図１３】
2013153818.tif 000015